(57)【要約】【課題】支持脚を有した天板付什器において、支持脚の上端部の接続強度を効率的に高める天板付什器を提供する。【解決手段】天板付什器１は、天板２と、支持脚４０と、天板２の下面２ｂから下方に突出して、支持脚４０の上端部４０ａが接続されるブラケット３０と、を備える。支持脚４０は、上下方向に延びるとともに、ブラケット３０における突出部３２の下端面３４に上下方向で対向する上端面４３を有する支持脚本体４２と、支持脚本体４２から上方に突出し、突出部３２の下端面３４よりも上方でブラケット３０に接続される接続凸部４１と、を備える。【選択図】図７
2020065879.tif 000002
【特許請求の範囲】
【請求項１】
天板と、
前記天板を支持する複数本の支持脚と、
前記天板の下面から下方に突出して、前記支持脚の上端部が接続される脚接続部と、を備え、
前記支持脚は、
上下方向に延びるとともに、前記脚接続部の下端面に上下方向で対向する上端面を有する支持脚本体と、
前記支持脚本体から上方に突出し、前記脚接続部の下端面よりも上方で前記脚接続部に接続される接続凸部と、を備える
天板付什器。
【請求項２】
前記支持脚本体は、上方から下方に向かうに従い上下方向に直交する第１方向の一方側に向けて傾斜し、
前記脚接続部の前記下端面及び前記支持脚本体の前記上端面は、前記接続凸部に対して前記第１方向の他方側に位置している
請求項１に記載の天板付什器。
【請求項３】
前記支持脚本体は、上方から下方に向かうに従い上下方向に直交する第１方向の一方側に向けて傾斜し、
前記脚接続部の前記下端面及び前記支持脚本体の前記上端面は、前記接続凸部に対して前記一方側に位置している
請求項１または２に記載の天板付什器。
【請求項４】
前記脚接続部には、前記下端面上に開口する支持脚挿入凹部が形成され、
前記接続凸部は、前記支持脚挿入凹部内に挿入された状態で、前記脚接続部に接続される
請求項１から３のいずれか一項に記載の天板付什器。
【請求項５】
前記脚接続部と前記接続凸部とを上下方向で締結する上下方向締結部材を備え、
前記接続凸部の上端面と、前記支持脚挿入凹部の頂面とは、上下方向で互いに突き当たっている
請求項４に記載の天板付什器。
【請求項６】
前記脚接続部と前記接続凸部とを水平方向で締結する水平方向締結部材を備え、
前記接続凸部は、前記水平方向締結部材が締結される側を向くとともに、前記水平方向締結部材が延びる方向に直交する直交側面を有し、
前記支持脚挿入凹部は、前記直交側面に対向する対向側面を有し、
前記水平方向締結部材が締結された状態で、前記直交側面と前記対向側面とが互いに突き当たっている
請求項４または５に記載の天板付什器。
【請求項７】
前記天板の下面に沿って設けられた平面視多角形状のフレームをさらに備え、
前記脚接続部は、前記フレームに接続されている
請求項１から６のいずれか一項に記載の天板付什器。
【発明の詳細な説明】
【技術分野】
【０００１】
本発明は、天板付什器に関する。
【背景技術】
【０００２】
テーブル、デスク等をはじめとする各種の天板付什器において、複数本の支持脚を有したものがある。各支持脚の上端部は、天板付什器の上部構造体、又は上部構造体の下面に設けられたブラケット等の脚連結部材に接続されている。
【０００３】
例えば、特許文献１には、上部構造体（天板）の下面に設けられた脚連結部材（脚部ラケット）が、円筒状の支持脚（脚柱）の円筒状の上端部に挿入される嵌合部を備えた構成が開示されている。嵌合部と支持脚とは、支持脚の上端部内で取付ネジによって締結されている。
【先行技術文献】
【特許文献】
【０００４】
【特許文献１】特許第５８４９６５３号公報
【発明の概要】
【発明が解決しようとする課題】
【０００５】
上記のような支持脚を有する天板付什器において、例えば、天板や支持脚に外力が加わった場合、支持脚は、脚接続部に接続された上端部側を中心として、支持脚の延伸方向に交差する方向に変形することがある。すると、支持脚の上端部と脚接続部との接続部分に、力（モーメント）が集中して作用する。
これに対し、支持脚の上端部と脚接続部とを、さらに強固に接続しようとすると、支持脚と脚接続部との接続部分の大型化、構造の複雑化に繋がる可能性がある。
本発明は、支持脚の上端部の接続強度を効率的に高めることができる天板付什器を提供することを目的とする。
【課題を解決するための手段】
【０００６】
上記目的を達成するために、本発明の一態様に係る天板付什器は、天板と、前記天板を支持する複数本の支持脚と、前記天板の下面から下方に突出して、前記支持脚の上端部が接続される脚接続部と、を備え、前記支持脚は、上下方向に延びるとともに、前記脚接続部の下端面に上下方向で対向する上端面を有する支持脚本体と、前記支持脚本体から上方に突出し、前記脚接続部の下端面よりも上方で前記脚接続部に接続される接続凸部と、を備える。
【０００７】
この構成によれば、天板付什器に加えられた外力によって、支持脚が脚接続部に接続された上端部側を中心として、下端部側が支持脚の延在方向と交差する方向に変位すると、支持脚本体の上端面が突出部の下端面に突き当たる。これにより、支持脚の変形荷重が突出部の下端面によって受け止められる。したがって、支持脚の過度な変形を抑えることができる。また、接続凸部と脚接続部との接続部分に過大な力が作用するのを抑えることができる。その結果、支持脚の上端部の接続強度を高めることができる。
また、突出部の下端面と、支持脚本体の上端面とを上下方向で対向させるのみでよいので、構造も簡易で、支持脚の上端部と脚接続部との接続部分の大型化、構造の複雑化を抑えることができる。その結果、支持脚の上端部の接続強度を効率的に高めることが可能となる。
【０００８】
本発明の一態様に係る天板付什器において、前記支持脚本体は、上方から下方に向かうに従い上下方向に直交する第１方向の一方側に向けて傾斜し、前記脚接続部の前記下端面及び前記支持脚本体の前記上端面は、前記接続凸部に対して前記第１方向の他方側に位置しているようにしてもよい。
この構成によれば、上下方向に対して傾斜した支持脚に対して、支持脚を立ち上がる方向の外力が作用した場合に、突出部の下端面と支持脚本体の上端面とが突き当たる。これにより、支持脚の傾斜が小さくなる方向の過度な変形、及び接続凸部と脚接続部との接続部分への過大な力の作用を抑えることができる。
【０００９】
本発明の一態様に係る天板付什器において、前記支持脚本体は、上方から下方に向かうに従い上下方向に直交する第１方向の一方側に向けて傾斜し、前記脚接続部の前記下端面及び前記支持脚本体の前記上端面は、前記接続凸部に対して前記一方側に位置しているようにしてもよい。
この構成によれば、上下方向に対して傾斜した支持脚に対して、支持脚をさらに傾斜させる方向の外力が作用した場合に、突出部の下端面と支持脚本体の上端面とが突き当たる。これにより、支持脚の傾斜が大きくなる方向の過度な変形、及び接続凸部と脚接続部との接続部分への過大な力の作用を抑えることができる。
【００１０】
本発明の一態様に係る天板付什器において、前記脚接続部には、前記下端面上に開口する支持脚挿入凹部が形成され、前記接続凸部は、前記支持脚挿入凹部内に挿入された状態で、前記脚接続部に接続されるようにしてもよい。
この構成によれば、支持脚の接続凸部と突出部との接続部分が外部に露呈せず、外観を向上させることができる。
【００１１】
本発明の一態様に係る天板付什器において、前記脚接続部と前記接続凸部とを上下方向で締結する上下方向締結部材を備え、前記接続凸部の上端面と、前記支持脚挿入凹部の頂面とは、上下方向で互いに突き当たっているようにしてもよい。
この構成によれば、上下方向締結部材によって接続された接続凸部の上端面と支持脚挿入凹部の頂面とが互いに突き当たることで、支持脚の上端部が、より強固かつ安定的に固定される。
【００１２】
本発明の一態様に係る天板付什器において、前記脚接続部と前記接続凸部とを水平方向で締結する水平方向締結部材を備え、前記接続凸部は、前記水平方向締結部材が締結される側を向くとともに、前記水平方向締結部材が延びる方向に直交する直交側面を有し、前記支持脚挿入凹部は、前記直交側面に対向する対向側面を有し、前記水平方向締結部材が締結された状態で、前記直交側面と前記対向側面とが互いに突き当たっているようにしてもよい。
この構成によれば、水平方向締結部材が締結された状態で支持脚の接続凸部の直交側面と支持脚挿入凹部の対向側面とが互いに突き当たることで、支持脚の上端部が、強固かつ安定的に固定される。
【００１３】
本発明の一態様に係る天板付什器において、前記天板の下面に沿って設けられた平面視多角形状のフレームをさらに備え、前記脚接続部は、前記フレームに接続されているようにしてもよい。
この構成によれば、互いに隣り合って配置される前記支持脚の前記上端部同士は、前記フレームを介して連結される。これにより、複数本の支持脚の接続強度が、さらに有効に高まる。
【発明の効果】
【００１４】
本発明の一態様によれば、支持脚の上端部の接続強度を効率的に高めることが可能となる。
【図面の簡単な説明】
【００１５】
【図１】本発明の実施形態に係る天板付什器の全体構成を示す正面図である。
【図２】上記天板付什器の天板支持体を示す斜視図である。
【図３】上記天板支持体に設けられたジョイント部材を示す斜視図である。
【図４】上記天板支持体に設けられたブラケットを斜め上方から見た斜視図である。
【図５】上記ブラケットを斜め下方から見た斜視図である。
【図６】上記ブラケットが設けられたフレームの角部を示す平面図である。
【図７】上記ブラケットが設けられたフレームの角部を示す側断面図であり、図６のＡ−Ａ矢視に相当する断面図である。
【図８】上記天板支持体に設けられた支持脚を示す斜視図である。
【図９】上記天板支持体に、支持脚の傾斜が小さくなる方向の外力が加わった場合の作用を示す図である。
【図１０】上記天板支持体に、支持脚の傾斜が大きくなる方向の外力が加わった場合の作用を示す図である。
【図１１】本発明の実施形態に係る天板付什器の変形例において、突出部の下端面と支持脚本体の上端面とを、内外方向の内側にのみ設けた場合の構成を示す側断面図である。
【発明を実施するための形態】
【００１６】
以下、添付図面を参照して、本発明による天板付什器を実施するための形態を説明する。しかし、本発明はこの実施形態のみに限定されるものではない。
【００１７】
図１は、本発明の実施形態に係る天板付什器１の全体構成を示す正面である。
図１に示すように、天板付什器１は、天板２と、天板支持体３と、を備える。この天板付什器１は、例えば、テーブル、デスク等として用いられる。天板２は、板状で、その上面２ａに物品が載置可能である。本実施形態において、天板２は、平面視長方形状である。なお、以下の説明では、天板２の上面２ａに沿う面内方向（水平方向）のうち、天板２の長手方向を単に長手方向Ｄ１といい、天板２の短手方向を単に短手方向Ｄ２という。天板２の平面形状は、長方形状に限らず、円形、長円形、楕円形、多角形状等であってもよい。
また、天板２の材質は、金属材、木材、樹脂材等、いかなるものであってもよい。
【００１８】
図２は、上記天板付什器１の天板支持体３を示す斜視図である。
天板支持体３は、天板２の下方に設けられ、天板２を支持する。図１、図２に示すように、天板支持体３は、フレーム２０と、ブラケット（脚接続部）３０と、支持脚４０と、を備える。
【００１９】
フレーム２０は、天板２の下面２ｂに沿って設けられている。フレーム２０は、平面視多角形状である。本実施形態において、フレーム２０は、平面視長方形状の天板２に対応して、天板２の平面視外形よりも小さい平面視長方形状とされている。フレーム２０は、一対の第一の杆体２１と、一対の第二の杆体２２と、ジョイント部材２３と、を備える。
【００２０】
一対の第一の杆体２１は、フレーム２０の短手方向Ｄ２の両側部を構成している。一対の第一の杆体２１は、それぞれ、天板２の下面２ｂに沿って、長手方向Ｄ１に延びている。
【００２１】
一対の第二の杆体２２は、フレーム２０の長手方向Ｄ１の両側部を構成している。一対の第二の杆体２２は、それぞれ、天板２の下面２ｂに沿って、第一の杆体２１が延びる方向と交差（直交）する短手方向Ｄ２に延びている。
これら第一の杆体２１、第二の杆体２２は、金属製の角管から形成されている。
【００２２】
ジョイント部材２３は、フレーム２０の角部２０ｃを構成している。ジョイント部材２３は、第一の杆体２１の端部と、第二の杆体２２の端部とを接続する。
【００２３】
図３は、上記天板支持体３に設けられたジョイント部材２３を示す斜視図である。
図３に示すように、ジョイント部材２３は、ジョイント部材本体２４と、一対の杆体接続部２５と、を備えている。
【００２４】
ジョイント部材本体２４は、略直方体状のブロック状をなしている。ジョイント部材本体２４は、平面視すると、その四方に側面２４ａ，２４ｂ，２４ｃ，２４ｄを有している。側面２４ａ，２４ｂ，２４ｃ，２４ｄは、互いに直交して形成されている。二つの側面２４ｃ，２４ｄの間には、後述する軸支ボス２７の中心軸Ｃ１を中心として、天板付什器１の外側に向けて凸の円弧状をなす円弧状側面２４ｅが形成されている。また、ジョイント部材本体２４の底面２３ｆは、水平面内に位置するよう形成されている。
【００２５】
一対の杆体接続部２５は、ジョイント部材本体２４において互いに隣り合う二つの側面２４ａ，２４ｂから直交する方向に各別に突出している。すなわち、一対の杆体接続部２５のうち、第一の杆体接続部２５は、側面２４ｂから長手方向Ｄ１に沿って突出している。一対の杆体接続部２５のうち、第二の杆体接続部２５は、側面２４ａから短手方向Ｄ２に沿って突出している。これにより、一対の杆体接続部２５は、側面２４ａ，２４ｂから水平面内で互いに直交する二方向に突出している。各杆体接続部２５は、その突出方向に直交する断面形状がそれぞれ矩形である。例えば、第一の杆体接続部２５は、第一の杆体２１の端部に挿入されている。第二の杆体接続部２５は、第二の杆体２２の端部に挿入されている。第一の杆体２１、第二の杆体２２の端部と、各杆体接続部２５とは、図示しないボルト、溶接等で接続されている。
【００２６】
ジョイント部材本体２４の側面２４ａ，２４ｂは、各杆体接続部２５の突出方向から見て、杆体接続部２５の外側に拡径して形成されている。これにより、各杆体接続部２５に挿入される第一の杆体２１及び第二の杆体２２は、ジョイント部材本体２４の対応する側面２４ａ，２４ｂにそれぞれ突き当たっている。
【００２７】
ジョイント部材本体２４には、ブラケット３０を受ける受け面２６が形成されている。受け面２６は、ジョイント部材本体２４の上端２４ｔよりも下方に窪むように形成されている。受け面２６は、水平面内に位置し、上方を向いている。受け面２６は、側面２４ｃ，２４ｄ側に向かって開放されている。換言すると、受け面２６は、フレーム２０の角部２０ｃにおいて、水平方向における天板付什器１の外側に向かって開放して形成されている。
【００２８】
受け面２６の略中央部には、軸支ボス２７が設けられている。軸支ボス２７は、受け面２６から上方に向かって突出する円柱状をなしている。軸支ボス２７の上端２７ｔは、ジョイント部材本体２４の上端２４ｔよりも低い位置に形成されている。
【００２９】
また、受け面２６に対し、側面２４ａ，２４ｂ側（天板付什器１の内側）には、立ち上がり壁部２４ｗが設けられている。立ち上がり壁部２４ｗは、受け面２６から上方に立ち上がるよう形成されている。立ち上がり壁部２４ｗは、軸支ボス２７の中心軸Ｃ１周りの周方向に連続している。立ち上がり壁部２４ｗには、軸支ボス２７側に、軸支ボス２７を中心として円弧状をなす内壁面２４ｖが形成されている。
【００３０】
図４は、上記天板支持体３に設けられたブラケット３０を斜め上方から見た斜視図である。図５は、上記ブラケット３０を斜め下方から見た斜視図である。図６は、上記ブラケット３０が設けられたフレーム２０の角部２０ｃを示す平面図である。図７は、上記ブラケット３０が設けられたフレーム２０の角部２０ｃを示す側断面図であり、図６のＡ−Ａ矢視に相当する断面図である。
図４〜図７に示すように、ブラケット３０は、天板２の下面２ｂに設けられている。ブラケット３０には、支持脚４０の上端部４０ａが接続される。ブラケット３０は、フレーム２０の複数の角部２０ｃのそれぞれに接続されている。図４、図５に示すように、ブラケット３０は、ベース部３１と、突出部３２と、支持脚挿入凹部３３と、を有している。
【００３１】
ベース部３１は、板厚方向を上下方向とする板状をなしている。ベース部３１は、上方を向く第一面３１ｓを天板２の下面２ｂに対向させた状態で、天板２の下面２ｂに固定される。具体的に、ベース部３１には、複数のボルト挿通孔３１ｈが形成されている。各ボルト挿通孔３１ｈは、ベース部３１を板厚方向（上下方向）に貫通して形成されている。図７に示すように、ベース部３１は、複数のブラケット締結ボルト６１によって、天板２の下面２ｂに固定される。各ブラケット締結ボルト６１は、各ボルト挿通孔３１ｈを通して、天板２に締結される。
【００３２】
図４〜図６に示すように、ベース部３１は、平面視で略五角形状をなし、一対の側辺部３１ａと、一対の斜辺部３１ｂと、内側辺部３１ｃと、を有している。
一対の側辺部３１ａは、互いに平行に延びている。
一対の斜辺部３１ｂは、一対の側辺部３１ａの一方の端部から、傾斜して延びている。一対の斜辺部３１ｂは、一対の側辺部３１ａから離間するにしたがって、互いに接近している。一対の斜辺部３１ｂは、ベース部３１の外側端部３１ｑにおいて互いに連結されている。
【００３３】
内側辺部３１ｃは、ベース部３１の内側端部３１ｐに形成されている。内側辺部３１ｃは、一対の側辺部３１ａの他方の端部同士を連結する。内側辺部３１ｃの中央部には、外側端部３１ｑから離間する方向に突出する凸辺部３１ｅが形成されている。内側辺部３１ｃの凸辺部３１ｅの両側には、凸辺部３１ｅに対して外側端部３１ｑ側に窪む凹辺部３１ｆが形成されている。
【００３４】
図６に示すように、ブラケット３０は、ベース部３１の内側端部３１ｐを、フレーム２０の角部２０ｃ側に向け、外側端部３１ｑを角部２０ｃから天板付什器１の外側に向かって離間する方向に向けて配置される。
【００３５】
図５、図７に示すように、突出部３２は、ベース部３１と一体に形成されている。突出部３２は、ベース部３１を天板２の下面２ｂに固定した状態で、ベース部３１から下方に突出するよう形成されている。図５に示すように、突出部３２は、下方から見て、ベース部３１の外側端部３１ｑと内側端部３１ｐとを結ぶ方向（以下、内外方向Ｄ３という。）に延びて形成されている。突出部３２は、その外周部に、一対の側面部３２ａと、内側凹湾曲面（外周面）３２ｂと、外側凸湾曲面３２ｃと、を有している。これら一対の側面部３２ａ、内側凹湾曲面３２ｂ及び外側凸湾曲面３２ｃは、それぞれ、ベース部３１の第二面３１ｔ（下面）に対して直交して延びている。これら一対の側面部３２ａ、内側凹湾曲面３２ｂ及び外側凸湾曲面３２ｃは、それぞれ、突出部３２から見て水平方向外側を向いている。
【００３６】
一対の側面部３２ａは、第二面３１ｔ上で間隔をあけて互いに平行に形成されている。一対の側面部３２ａは、それぞれ上述した内外方向Ｄ３に延びている。
【００３７】
内側凹湾曲面３２ｂは、突出部３２において、ベース部３１の内側端部３１ｐ側に形成されている。内側凹湾曲面３２ｂは、一対の側面部３２ａの一方の端部（内外方向Ｄ３における内側端部）同士を連結するよう形成されている。内側凹湾曲面３２ｂは、下方から見て外側端部３１ｑ側に円弧状に窪むように湾曲している。
【００３８】
外側凸湾曲面３２ｃは、突出部３２において、ベース部３１の外側端部３１ｑ側に形成されている。外側凸湾曲面３２ｃは、一対の側面部３２ａの他方の端部（内外方向Ｄ３における外側端部）同士を連結するよう形成されている。外側凸湾曲面３２ｃは、下方から見て外側端部３１ｑ側に円弧状に突出して湾曲している。図６、図７に示すように、ブラケット３０は、突出部３２の内側凹湾曲面３２ｂを、ジョイント部材本体２４の円弧状側面２４ｅに対向させて配置される。すなわち、突出部３２は、内側凹湾曲面３２ｂをフレーム２０の角部２０ｃ側に向け、外側凸湾曲面３２ｃを角部２０ｃから天板付什器１の外側に向かって離間する方向に向けて配置される。
【００３９】
図５、図７に示すように、支持脚挿入凹部３３は、突出部３２の下端面３４から上方に向かって窪んで形成されている。支持脚挿入凹部３３の内面は、一対の側部壁面３３ａと、内側壁面（対向側面）３３ｂと、外側壁面３３ｃと、を有する。これら一対の側部壁面３３ａ、内側壁面３３ｂ及び外側壁面３３ｃは、それぞれ、ベース部３１の第二面３１ｔに直交して形成されている。
【００４０】
一対の側部壁面３３ａは、一対の側面部３２ａと平行に設けられている。
内側壁面３３ｂは、一対の側部壁面３３ａの一方の端部（内外方向Ｄ３における内側端部）同士を連結するよう形成されている。
外側壁面３３ｃは、一対の側部壁面３３ａの他方の端部（内外方向Ｄ３における外側端部）同士を連結するよう形成されている。外側壁面３３ｃは、下方から見て、外側凸湾曲面３２ｃと同心状に湾曲して形成されている。
【００４１】
突出部３２の下端面３４は、突出部３２の突出方向である上下方向に直交する方向（水平方向）に延びる平面状である。すなわち、下端面３４は、ベース部３１を天板２の下面２ｂに固定した状態で、下面２ｂと平行に配置されている。下端面３４は、支持脚挿入凹部３３の周囲を全周に亘って取り囲むように形成されている。下端面３４は、内側端面３４ａと、外側端面３４ｂと、側部端面３４ｃと、を有する。
【００４２】
内側端面３４ａは、支持脚挿入凹部３３に対し、内外方向Ｄ３の内側に形成されている。内側端面３４ａは、内側凹湾曲面３２ｂと内側壁面３３ｂとの間に形成されている。
【００４３】
外側端面３４ｂは、支持脚挿入凹部３３に対し、内外方向Ｄ３の外側Ｄｏに形成されている。外側端面３４ｂは、外側凸湾曲面３２ｃと外側壁面３３ｃとの間に形成されている。
【００４４】
側部端面３４ｃは、水平方向のうち内外方向Ｄ３に直交する方向において支持脚挿入凹部３３の両側に形成されている。側部端面３４ｃは、側面部３２ａと側部壁面３３ａとの間に形成されている。
【００４５】
本実施形態において、内側端面３４ａは、外側端面３４ｂよりも、面積が大きく形成されている。但し、内側端面３４ａ、外側端面３４ｂ及び側部端面３４ｃの面積は、適宜変更が可能である。
【００４６】
上方に向かって窪む支持脚挿入凹部３３において、一対の側部壁面３３ａ、内側壁面３３ｂ、外側壁面３３ｃに囲まれる空間は、頂面３３ｅによって塞がれている。
【００４７】
支持脚挿入凹部３３の頂面３３ｅには、複数個所に、第一ボルト挿通孔３５が開口している。第一ボルト挿通孔３５は、ベース部３１を上下方向に貫通している。図７に示すように、第一ボルト挿通孔３５には、後述する第一支持脚締結ボルト（上下方向締結部材）６２が挿通される。第一ボルト挿通孔３５において、ベース部３１の第一面３１ｓ側には、第一支持脚締結ボルト６２の頭部が収容されるザグリ部３５ａが形成されている。
【００４８】
また、図５〜図７に示すように、突出部３２には、内側凹湾曲面３２ｂと支持脚挿入凹部３３の内側壁面３３ｂとの間を貫通する第二ボルト挿通孔３６が形成されている。第二ボルト挿通孔３６は、内側凹湾曲面３２ｂと、支持脚挿入凹部３３の内側壁面３３ｂとを、上述した内外方向Ｄ３に貫通している。第二ボルト挿通孔３６は、内側壁面３３ｂに直交して延びている。また、内側凹湾曲面３２ｂには、第二ボルト挿通孔３６の周囲に、内外方向Ｄ３に直交する平面部３６ｆが形成されている。第二ボルト挿通孔３６には、後述する第二支持脚締結ボルト（水平方向締結部材）６３が挿通される６ｆには、第二支持脚締結ボルト６３の頭部の座面が突き当たる。
【００４９】
また、図４〜図６に示すように、ブラケット３０のベース部３１の内側端部３１ｐには、軸支穴３７が形成されている。
軸支穴３７は、ベース部３１の凸辺部３１ｅと、突出部３２の内側凹湾曲面３２ｂとの間に配置されている。軸支穴３７は、ベース部３１の第二面３１ｔから第一面３１ｓ側に窪んで形成されている。図７に示すように、軸支穴３７には、ジョイント部材２３に設けられた軸支ボス２７が挿入される。
【００５０】
このようにして、ブラケット３０は、軸支穴３７に軸支ボス２７を挿入した状態で、天板２の下面２ｂに固定されることによって、ジョイント部材２３に連結されている。
【００５１】
図１、図２に示すように、支持脚４０は、例えば、木製、金属製等であり、フレーム２０の四隅にそれぞれ配置されている。支持脚４０は、天板２を支持する。支持脚４０の下端部４０ｂは、床等の設置面Ｆに接地している。支持脚４０は、下端部４０ｂから上方に延びている。図７に示すように、各支持脚４０は、その上端部４０ａがブラケット３０に接続されている。
【００５２】
図８は、上記天板支持体３に設けられた支持脚４０を示す斜視図である。
図６〜図８に示すように、支持脚４０は、支持脚本体４２と、接続凸部４１と、を備えている。
支持脚本体４２は、上下方向に対して傾斜して設けられている。本実施形態において、支持脚本体４２は、上方から下方に向かうに従い、内外方向Ｄ３における外側Ｄｏ（天板付什器１の外側）に向かって傾斜している。支持脚本体４２は、上方から下方に向かって、上下方向に直交する外形寸法が小さくなるよう形成されている。
【００５３】
接続凸部４１は、支持脚４０の上端部４０ａに設けられている。接続凸部４１は、支持脚本体４２から上方に向けて直線状に突出している。接続凸部４１は、ブラケット３０の支持脚挿入凹部３３に挿入される。
【００５４】
接続凸部４１は、支持脚挿入凹部３３に補形する断面形状を有している。接続凸部４１は、上下方向に同一断面形状を有して延びている。接続凸部４１は、一対の凸部側面４１ａと、凸部内側面（直交側面）４１ｂと、凸部外側面４１ｃと、上端面４１ｔと、を有する。
【００５５】
一対の凸部側面４１ａは、内外方向Ｄ３に沿って互いに平行に設けられている。
凸部内側面４１ｂは、一対の凸部側面４１ａの一方の端部（内外方向Ｄ３における内側端部）同士を連結するよう形成されている。凸部外側面４１ｃは、一対の凸部側面４１ａの他方の端部（内外方向Ｄ３における外側端部）同士を連結するよう形成されている。凸部外側面４１ｃは、上方から見て、内外方向Ｄ３における外側Ｄｏに凸の円弧状に湾曲している。
上端面４１ｔは、上下方向に直交して形成されている。
【００５６】
接続凸部４１の上端面４１ｔには、複数個所に、第一雌ネジ孔４５が開口している。また、接続凸部４１の凸部内側面４１ｂには、第二雌ネジ孔４６が開口している。
【００５７】
このような接続凸部４１は、ブラケット３０の支持脚挿入凹部３３に挿入される。接続凸部４１は、支持脚挿入凹部３３内で突出部３２に接続される。すなわち、接続凸部４１は、下端面３４よりも上方位置で突出部３２に接続される。
【００５８】
図６、図７に示すように、支持脚４０の接続凸部４１には、支持脚挿入凹部３３に挿入された状態で、上下方向に延びる第一支持脚締結ボルト６２が締結される。第一支持脚締結ボルト６２は、ブラケット３０の第一面３１ｓから下方に向かって延びる。第一支持脚締結ボルト６２は、第一ボルト挿通孔３５を通して、第一雌ネジ孔４５に締結される。このように、第一支持脚締結ボルト６２が締結された状態で、支持脚４０の上端部４０ａの上端面４１ｔと、支持脚挿入凹部３３において上端面４１ｔに対向する頂面３３ｅとは、互いに突き当たっている。なお、支持脚４０の上端面４１ｔと、支持脚挿入凹部３３において上端面４１ｔに対向する頂面３３ｅとは、上下方向で離間していてもよい。
【００５９】
また、接続凸部４１には、支持脚挿入凹部３３に挿入された状態で、第二支持脚締結ボルト６３が締結される。第二支持脚締結ボルト６３は、突出部３２においてフレーム２０の内外方向Ｄ３の内側を向く側に設けられている。第二支持脚締結ボルト６３は、突出部３２の内側凹湾曲面３２ｂから、第一支持脚締結ボルト６２が延びる方向と交差する内外方向Ｄ３に延びる。第二支持脚締結ボルト６３は、第二ボルト挿通孔３６を通して、第二雌ネジ孔４６に締結される。このように、第二支持脚締結ボルト６３が締結された状態で、接続凸部４１の凸部内側面４１ｂと、支持脚挿入凹部３３の内側壁面３３ｂは、第二支持脚締結ボルト６３が延びる方向（内外方向Ｄ３）に直交して互いに突き当たっている。なお、接続凸部４１の凸部内側面４１ｂと、支持脚挿入凹部３３の内側壁面３３ｂは、内外方向Ｄ３で離間していてもよい。
【００６０】
このように、支持脚４０の上端部４０ａは、上記ブラケット３０を介してフレーム２０の角部２０ｃに接続されている。支持脚４０の接続凸部４１は、支持脚挿入凹部３３の頂面３３ｅと、内側壁面３３ｂとの二面に突き当たって固定されている。
【００６１】
図７、図８に示すように、支持脚４０は、支持脚本体４２の上端面４３は、接続凸部４１の下端から水平方向（側方）に張り出している。支持脚本体４２の上端面４３は、上下方向に直交して上方を向く平面状である。支持脚本体４２の上端面４３は、接続凸部４１の周囲を全周に亘って取り囲むように形成されている。したがって、接続凸部４１の外周面及び支持脚本体４２の上端面４３で囲まれた部分は、上方及び水平方向に開放された段部を構成している。上端面４３は、支持脚側内側端面４３ａと、支持脚側外側端面４３ｂと、支持脚側部端面４３ｃと、を有する。
【００６２】
支持脚側内側端面４３ａは、接続凸部４１に対し、内外方向Ｄ３の内側に位置している。支持脚側内側端面４３ａは、内側端面３４ａの下方に位置している。
【００６３】
支持脚側外側端面４３ｂは、接続凸部４１に対し、内外方向Ｄ３の外側Ｄｏに位置している。支持脚側外側端面４３ｂは、外側端面３４ｂの下方に位置している。
【００６４】
支持脚側部端面４３ｃは、水平面内で内外方向Ｄ３に直交する方向において接続凸部４１の両側に形成されている。支持脚側部端面４３ｃは、側部端面３４ｃの下方に位置している。
【００６５】
本実施形態において、支持脚側内側端面４３ａは、支持脚側外側端面４３ｂよりも、面積が大きく形成されている。但し、支持脚側内側端面４３ａ、支持脚側外側端面４３ｂ、及び支持脚側部端面４３ｃの面積は、適宜変更が可能である。なお、本実施形態において、支持脚本体４２の上端面４３の面積は、突出部３２の下端面３４の面積よりも大きくなっている。
【００６６】
このように、支持脚本体４２の上端面４３は、突出部３２の下端面３４の上下方向で対向（近接または当接）している。本実施形態では、支持脚本体４２の上端面４３は、接続凸部４１の全周に亘って突出部３２の下端面３４に下方から当接している。但し、支持脚本体４２の上端面４３は、接続凸部４１の全周に亘って突出部３２の下端面３４に近接する構成であってもよい。この場合、支持脚本体４２の上端面４３と、突出部３２の下端面３４と、の上下方向の間隔は、天板付什器１に作用する外力によって支持脚４０が弾性変形した場合に、上端面４３と下端面３４とが突き当たるように設定されていることが好ましい。このような間隔としては、例えば数ｍｍ以下とするのが好ましい。
【００６７】
なお、支持脚本体４２の上端面４３は、突出部３２の下端面３４に少なくとも一部で当接するような構成であってもよい。例えば、支持脚本体４２の上端面４３及び突出部３２の下端面３４のうち、面積の大きい支持脚側内側端面４３ａ及び内側端面３４ａのみが当接するようにしてもよい。
【００６８】
次に、支持脚４０の傾斜角度が変化するような外力が、天板付什器１に加わった場合の作用について説明する。ここで、支持脚４０において、上端部４０ａに対して下端部４０ｂが内外方向Ｄ３における外側Ｄｏに傾斜した支持脚本体４２の中心軸Ｃ２（支持脚本体４２における平面視での中心を通り、支持脚本体４２の延在方向に延びる軸）の、上下方向Ｄｖに対する角度を、支持脚４０の傾斜角度θとする。
【００６９】
図９は、上記天板支持体に、支持脚４０の傾斜角度θが小さくなる方向の外力Ｆ１が加わった場合の作用を示す図である。
図９に示すように、天板付什器１に対し、内外方向（第１方向）Ｄ３における外側（他方側）Ｄｏに向かう外力Ｆ１が加わった場合について検討する。この場合、外力Ｆ１により、支持脚４０は、上端部４０ａに対し、下端部４０ｂが、支持脚本体４２の延在方向（中心軸Ｃ２方向）と交差する方向（内外方向Ｄ３）において、外力Ｆ１と反対方向Ｘ１に相対的に変位しようとする。これにより、支持脚４０の上端部４０ａには、支持脚４０の傾斜角度θが小さくなる方向のモーメントＭ１が作用する。
【００７０】
この場合、本実施形態では、突出部３２の下端面３４及び支持脚本体４２の上端面４３のうち、内外方向Ｄ３の内側に位置する部分（内側端面３４ａと支持脚側内側端面４３ａ）同士が突き当たっているため、モーメントＭ１による支持脚４０の変形荷重が内側端面３４ａによって受け止められる。
【００７１】
図１０は、上記天板支持体に、支持脚４０の傾斜が大きくなる方向の外力Ｆ２が加わった場合の作用を示す図である。
図１０に示すように、天板付什器１に対し、内外方向Ｄ３における内側（一方側）に向かう外力Ｆ２が加わった場合、外力Ｆ２により、支持脚４０は、上端部４０ａに対し、下端部４０ｂが、支持脚本体４２の延在方向と交差する方向において、外力Ｆ２と反対方向Ｘ２に相対的に変位しようとする。これにより、支持脚４０の上端部４０ａには、支持脚４０の傾斜角度θが大きくなる方向のモーメントＭ２が作用する。
【００７２】
この場合、本実施形態では、突出部３２の下端面３４及び支持脚本体４２の上端面４３のうち、内外方向Ｄ３の外側Ｄｏに位置する部分（外側端面３４ｂと支持脚側外側端面４３ｂ）同士が突き当たっているため、モーメントＭ２による支持脚４０の変形荷重が内側端面３４ａによって受け止められる。
【００７３】
なお、支持脚４０が内外方向Ｄ３で対向して配置される場合には、内外方向Ｄ３で対向する支持脚４０のうち、一方の支持脚４０については傾斜角度θが小さくなる方向に変形しようとし、他方の支持脚４０については傾斜角度θが大きくなる方向に変形しようとする。この場合において、一方の支持脚４０では、内外方向Ｄ３の外側で下端面３４及び上端面４３が突き当たり、他方の支持脚４０では、内外方向Ｄ３の内側で下端面３４及び上端面４３が突き当たる。これにより、何れの方向に外力が作用した場合であっても、支持脚４０の過度な変形を抑制できる。
【００７４】
本実施形態では、支持脚４０の接続凸部４１は、天板２の下面２ｂに設けられたブラケット３０の突出部３２に対して下端面３４よりも上方でブラケット３０に接続される。支持脚本体４２の上端面４３は、突出部３２の下端面３４に上下方向で対向している。
このような構成によれば、例えば外力Ｆ１，Ｆ２によって支持脚４０が弾性変形し、上端面４３が下端面３４に突き当たると、支持脚４０の変形荷重が下端面３４によって受け止められる。これにより、支持脚４０の傾斜角度θが変化する方向における過度な変形を抑えることができる。また、接続凸部４１とブラケット３０との接続部分に過大な力が作用するのを抑えることができる。これにより、支持脚４０の上端部４０ａの接続強度を高めることができる。
また、ブラケット３０の下端面３４と、支持脚４０の上端面４３とを上下方向で対向させるのみで上記のような効果を奏するので、構造も簡易で、支持脚４０の上端部４０ａとブラケット３０との接続部分の大型化、構造の複雑化を抑えることができる。その結果、支持脚４０の上端部４０ａの接続強度を効率的に高めることが可能となる。
【００７５】
本実施形態では、支持脚本体４２が上方から下方に向かうに従い内外方向Ｄ３の外側Ｄｏに向けて傾斜し、下端面３４における内側端面３４ａ及び上端面４３における支持脚側内側端面４３ａが、支持脚本体４２が傾斜している側と反対側に位置する部分で対向している構成とした。
このような構成によれば、例えば支持脚４０の傾斜角度θが小さくなる方向の外力Ｆ１が作用した場合に、内側端面３４ａと支持脚側内側端面４３ａとが突き当たることで、支持脚４０の過度な変形、及び接続凸部４１とブラケット３０との接続部分への過大な力の作用を抑えることができる。
特に、本実施形態では、内側端面３４ａ及び支持脚側内側端面４３ａは、外側端面３４ｂ及び支持脚側外側端面４３ｂよりも、面積が大きいので、支持脚４０の傾斜角度θが小さくなる方向の外力Ｆ１に対する強度が、特に高められる。
【００７６】
本実施形態では、支持脚本体４２が上方から下方に向かうに従い内外方向Ｄ３の外側Ｄｏに向けて傾斜し、下端面３４における外側端面３４ｂ及び上端面４３における支持脚側外側端面４３ｂが、支持脚本体４２が傾斜している側で対向している構成とした。
このような構成によれば、支持脚４０の傾斜角度θが大きくなる方向の外力Ｆ２が作用した場合に、の外側端面３４ｂと支持脚側外側端面４３ｂとが突き当たる。これにより、支持脚４０の過度な変形、及び接続凸部４１とブラケット３０との接続部分への過大な力の作用を抑えることができる。
【００７７】
本実施形態では、接続凸部４１は、支持脚挿入凹部３３内で突出部３２に接続される構成とした。
このような構成によれば、接続凸部４１と突出部３２との接続部分が外部に露呈せず、外観を向上させることができる。
【００７８】
本実施形態では、第一支持脚締結ボルト６２によって接続された接続凸部４１の上端面４１ｔと支持脚挿入凹部３３の頂面３３ｅとが互いに突き当たる構成とした。
このような構成によれば、支持脚４０の上端部４０ａが、より強固かつ安定的に固定される。
【００７９】
本実施形態では、第二支持脚締結ボルト６３が締結された状態で接続凸部４１の凸部内側面４１ｂと支持脚挿入凹部３３の内側壁面３３ｂとが互いに突き当たる構成とした。
このような構成によれば、支持脚４０の上端部４０ａが、強固かつ安定的に固定される。
【００８０】
本実施形態では、ブラケット３０は、フレーム２０に接続されている構成とした。
このような構成によれば、互いに隣り合って配置される支持脚４０の上端部４０ａ同士は、フレーム２０を介して連結される。これにより、複数本の支持脚４０の接続強度が、さらに有効に高まる。
【００８１】
また、本実施形態では、第二支持脚締結ボルト６３は、突出部３２において内外方向Ｄ３の内側から締結されている構成とした。
このような構成によれば、第二支持脚締結ボルト６３は、フレーム２０の外側に露呈しない。これにより、天板２付を外側から見たときに第二支持脚締結ボルト６３が露呈するのを抑え、天板付什器１の外観を向上させることができる。
【００８２】
本実施形態では、天板付什器１において、ブラケット３０がブラケット締結ボルト６１によって天板２に下方から締結される構成とした。
このような構成によれば、支持脚４０の上端部４０ａが接続されるブラケット３０を、天板２に固定することで、支持脚４０の上端部４０ａを強固に固定することができる。また、ブラケット締結ボルト６１が天板２の上面２ａ側に露呈しないので、これによっても天板付什器１の外観を向上させることができる。
【００８３】
（実施形態の変形例）
上記実施形態では、突出部３２の下端面３４と支持脚本体４２の上端面４３とを、内外方向Ｄ３の両側、及び水平面内で内外方向Ｄ３に直交する方向の両側で対向させるようにしたが、これに限らない。突出部３２の下端面３４と支持脚本体４２の上端面４３とは、接続凸部４１の周方向の一部のみに設けてもよい。
図１１は、本発明の実施形態に係る天板付什器１Ｂの変形例において、下端面３４Ｂと上端面４３Ｂとを、内外方向Ｄ３の内側にのみ設けた場合の構成を示す側断面図である。
図１１に示すように、突出部３２Ｂの下端面３４Ｂは、支持脚挿入凹部３３に対し、内外方向Ｄ３の内側に形成されている。下端面３４Ｂは、内側凹湾曲面３２ｂと内側壁面３３ｂとの間に形成されている。
【００８４】
支持脚４０Ｂにおいて、支持脚本体４２の上端面４３Ｂは、接続凸部４１に対し、内外方向Ｄ３の内側に形成されている。
【００８５】
上端面４３Ｂは、接続凸部４１を支持脚挿入凹部３３に挿入した状態で、下端面３４Ｂと上下方向で対向（近接または当接）している。
【００８６】
このような構成では、支持脚４０Ｂの傾斜角度θが小さくなる方向の外力Ｆ１（図９参照）が作用した場合に、下端面３４Ｂと上端面４３Ｂとが突き当たることで、支持脚４０Ｂの過度な変形、及び接続凸部４１とブラケット３０との接続部分への過大な力の作用を抑えることができる。これにより、支持脚４０Ｂの上端部４０ａの接続強度を高めることができる。
【００８７】
以上、本発明の好ましい実施例を説明したが、本発明はこれら実施例に限定されることはない。本発明の趣旨を逸脱しない範囲で、構成の付加、省略、置換、及びその他の変更が可能である。本発明は上述した説明によって限定されることはなく、添付の特許請求の範囲によってのみ限定される。
例えば、上記実施形態では、支持脚４０を、上端部４０ａから下端部４０ｂに向かって、天板付什器１の外側に傾斜するようにしたが、これに限らない。支持脚４０を、上端部４０ａから下端部４０ｂに向かって、天板付什器１の内側に傾斜するようにしてもよい。さらには、支持脚４０を傾斜させず、上端部４０ａから下端部４０ｂに向かって上下方向に直線状に延びるように設けてもよい。
上記実施形態では、突出部３２の下端面３４，３４Ｂ及び支持脚本体４２の上端面４３，４３Ｂが接続凸部４１周りの全周、または接続凸部４１に対して内外方向Ｄ３の内側のみにおいて上下方向で対向する構成について説明したが、この構成のみに限られない。突出部３２の下端面及び支持脚本体４２の上端面は、接続凸部４１の周囲の少なくとも一部で対向していればよい。
【００８８】
また、上記実施形態では、ブラケット３０の構成について説明したが、その構成は一例に過ぎない。例えば、支持脚４０の上端部４０ａが接続されるブラケット３０は、支持脚挿入凹部３３を有するようにしたが、支持脚４０の上端部４０ａを固定できるのであれば、必ずしも凹部状とする必要はなく、天板２の下面２ｂから下方に突出していればよい。
さらに、支持脚４０の上端部４０ａが接続される突起部として、天板２の下面２ｂに固定されるブラケット３０を示したが、突起部は、天板２の下面２ｂに一体的に設けてもよい。
その他、本発明の趣旨を逸脱しない範囲で、上述した実施形態における構成要素を周知の構成要素に置き換えることは適宜可能であり、また、上述した各変形例を適宜組み合わせてもよい。
【符号の説明】
【００８９】
１，１Ｂ  天板付什器
２  天板
２ｂ  下面
２０  フレーム
３０  ブラケット（脚接続部）
３２，３２Ｂ  突出部
３２ｂ  内側凹湾曲面（外周面）
３３  支持脚挿入凹部
３３ｂ  内側壁面（対向側面）
３３ｅ  頂面
３４，３４Ｂ  下端面
４０，４０Ｂ  支持脚
４０ａ  上端部
４０ｂ  下端部
４１  接続凸部
４１ｂ  凸部内側面（直交側面）
４１ｔ  上端面
４２  支持脚本体
４３，４３Ｂ  上端面
６２  第一支持脚締結ボルト（上下方向締結部材）
６３  第二支持脚締結ボルト（水平方向締結部材）
Ｆ  設置面
【図１】
2020065879.tif 000003
【図２】
2020065879.tif 000004
【図３】
2020065879.tif 000005
【図４】
2020065879.tif 000006
【図５】
2020065879.tif 000007
【図６】
2020065879.tif 000008
【図７】
2020065879.tif 000009
【図８】
2020065879.tif 000010
【図９】
2020065879.tif 000011
【図１０】
2020065879.tif 000012
【図１１】
2020065879.tif 000013